(57)【要約】【課題】いわゆる釘曲げゴト等による異常を迅速且つ確実に認識できる弾球遊技機を提供する。【解決手段】遊技状態によって状態が変化しない複数の非作動式入賞口３０，３５〜３８を含む複数の入賞口を備え、それら入賞口への遊技球の入賞に基づいて所定の遊技価値が付与されるように構成された弾球遊技機で、複数の非作動式入賞口３０，３５〜３８は、１又は複数の基準入賞口３０とそれ以外の一般入賞口３５〜３８とで構成され、基準入賞口３０への入賞数としての基準入賞数を計数する基準入賞数計数手段７３と、一般入賞口３５〜３８への入賞数としての一般入賞数を計数する一般入賞数計数手段７４と、所定期間内における基準入賞数と一般入賞数と所定の基準設定値とに基づいて異常判定を行う異常判定手段７５とを備えたものである。【選択図】図４
2008109987.tif 000002
【特許請求の範囲】
【請求項１】
遊技状態によって状態が変化しない複数の非作動式入賞口（３０）（３５）〜（３８）を含む複数の入賞口（３０）（３１）（３３）（３５）〜（３８）を備え、それら入賞口（３０）（３１）（３３）（３５）〜（３８）への遊技球の入賞に基づいて所定の遊技価値が付与されるように構成された弾球遊技機において、前記複数の非作動式入賞口（３０）（３５）〜（３８）は、１又は複数の基準入賞口（３０）とそれ以外の一般入賞口（３５）〜（３８）とで構成され、前記基準入賞口（３０）への入賞数としての基準入賞数を計数する基準入賞数計数手段（７３）と、前記一般入賞口（３５）〜（３８）への入賞数としての一般入賞数を計数する一般入賞数計数手段（７４）と、所定期間内における前記基準入賞数と前記一般入賞数と所定の基準設定値とに基づいて異常判定を行う異常判定手段（７５）とを備えたことを特徴とする弾球遊技機。
【請求項２】
前記基準設定値には、前記基準入賞数に対する前記一般入賞数の割合の上限値としての入賞割合上限値が設定され、前記異常判定手段（７５）は、所定期間内における前記基準入賞数に対する前記一般入賞数の割合が前記基準設定値と同じ又は前記基準設定値よりも大である場合に異常と判定するように構成されていることを特徴とする請求項１に記載の弾球遊技機。
【請求項３】
前記基準設定値には、前記入賞割合上限値となるように前記基準入賞数についての基準判定数と前記一般入賞数についての一般判定数とが設定されており、前記異常判定手段（７５）は、前記基準入賞数が前記基準判定数に達するまでに前記一般入賞数が前記一般判定数に達した場合に異常と判定するように構成されていることを特徴とする請求項２に記載の弾球遊技機。
【請求項４】
前記基準設定値は予め複数種類設定され、外部操作により選択可能に構成されていることを特徴とする請求項１〜３の何れかに記載の弾球遊技機。
【請求項５】
前記非作動式入賞口（３０）（３５）〜（３８）のうち、最も入賞率の高い入賞口（３０）を前記基準入賞口としたことを特徴とする請求項１〜４の何れかに記載の弾球遊技機。
【請求項６】
所定の始動入賞口（３０）に遊技球が入賞することに基づいて遊技図柄を変動させるように構成され、前記始動入賞口（３０）を前記基準入賞口としたことを特徴とする請求項１〜５の何れかに記載の弾球遊技機。
【発明の詳細な説明】
【技術分野】
【０００１】
本発明は、パチンコ機等の弾球遊技機に関するものである。
【背景技術】
【０００２】
例えばパチンコ機では、発射手段から発射された遊技球がガイドレールを経て遊技領域へと案内され、その遊技球が、遊技領域内に複数配置されている入賞口の何れかに入賞したときに、その入賞口に応じて所定数の遊技球を賞球として払い出すように構成されている。
【０００３】
この種のパチンコ機では、開閉可能な前枠側に遊技盤が装着され、またその前枠の前側に、遊技盤の遊技領域に対応するガラス窓を備えたガラス扉、遊技球の貯留皿を備えた前面開閉板等が開閉自在に枢着されている。
【０００４】
ところで、この種のパチンコ機に対するゴト行為として、ガラス扉や前面開閉板と前枠との隙間、或いはドリル等を使って前面開閉板等に開けた穴からピアノ線などを挿入し、遊技球が入賞しやすいように釘を曲げるなどして不正に球を搾取するといった行為が問題となっている。
【０００５】
このようなゴト行為に対する対策として、ガラス扉と前枠との隙間を塞いでピアノ線等の進入経路を絶つ等のハード面での対策（特許文献１参照）の他には、遊技ホール側がベース値をこまめにチェックしたり、店員の見回りを強化する等の方法しかないのが実情であった。
【特許文献１】特開２００４−２７５２５７号公報
【発明の開示】
【発明が解決しようとする課題】
【０００６】
上記のようなゴト対策のうち、ハード面での対策はある程度の成果が見込めるものの、あくまでも予防的なものであるから、それだけでは万全とは言えない。やはり、そのような予防的対策に加えて、万が一ゴト行為が実行されてしまった場合でも実際の損害が生じる前に遊技ホール側がそれを確実に発見できるような対策が不可欠である。
【０００７】
その点、従来のように、遊技ホール側がベース値をチェックする方法では、明らかな異常と認識できるまでに時間がかかることから、損害の発生前にゴト行為を確実に発見することは難しいという問題があった。
【０００８】
本発明は、このような従来の問題点に鑑み、いわゆる釘曲げゴト等による異常を迅速且つ確実に認識できる弾球遊技機を提供することを目的とする。
【課題を解決するための手段】
【０００９】
本発明は、遊技状態によって状態が変化しない複数の非作動式入賞口３０，３５〜３８を含む複数の入賞口３０，３１，３３，３５〜３８を備え、それら入賞口３０，３１，３３，３５〜３８への遊技球の入賞に基づいて所定の遊技価値が付与されるように構成された弾球遊技機において、前記複数の非作動式入賞口３０，３５〜３８は、１又は複数の基準入賞口３０とそれ以外の一般入賞口３５〜３８とで構成され、前記基準入賞口３０への入賞数としての基準入賞数を計数する基準入賞数計数手段７３と、前記一般入賞口３５〜３８への入賞数としての一般入賞数を計数する一般入賞数計数手段７４と、所定期間内における前記基準入賞数と前記一般入賞数と所定の基準設定値とに基づいて異常判定を行う異常判定手段７５とを備えたものである。
【発明の効果】
【００１０】
本発明によれば、いわゆる釘曲げゴト等による異常を迅速且つ確実に認識でき、不正行為を早期に発見して被害の発生を防止できる。
【発明を実施するための最良の形態】
【００１１】
以下、本発明の実施形態を図面に基づいて詳述する。図１〜図９は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１２】
前面板５の前側には発射用の遊技球を貯留する上皿６が、前面板５の下側で前枠３の前側には余剰球等を貯留する下皿７が、夫々配置されている。下皿７の一側、例えば向かって右側には、遊技球を発射する発射手段（図示省略）の発射ハンドル８が、前枠３の前側に突出状に設けられている。
【００１３】
１１は遊技盤で、ガラス扉４の後側に対応するように、前枠３の裏側に着脱自在に装着されている。遊技盤１１の前面側には、図２に示すように、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。
【００１４】
センターケース１４には、液晶表示手段等よりなる演出特別図柄表示手段２１の他、普通図柄表示手段２２、特別図柄表示手段２３、普通保留個数表示手段２４、特別保留個数表示手段２５、特別遊技状態表示手段２６等が設けられている。
【００１５】
普通図柄表示手段２２は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定用乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１６】
また、普通図柄表示手段２２の変動表示中に普通図柄始動手段１５が遊技球を検出した場合には、その検出時に取得された当たり判定用乱数値が予め定められた上限保留個数、例えば４個を限度として記憶されると共に、例えば上限保留個数と同数の発光体よりなる普通保留個数表示手段２４がその発光個数により当たり判定用乱数値の記憶個数（以下、普通保留個数）を表示して、その時点での普通保留個数を遊技者に報知するようになっている。
【００１７】
特別図柄始動手段１６は、特別図柄表示手段２３による図柄変動を開始させるためのもので、上下２つの始動入賞口３０，３１と、下始動入賞口３１を開閉する開閉手段３２と、上始動入賞口３０に入賞した遊技球を検出する入賞検出スイッチ３０ａと、下始動入賞口３１に入賞した遊技球を検出する入賞検出スイッチ３１ａとを備え、センターケース１４の下側に配置されている。
【００１８】
上始動入賞口３０は、開閉手段等を有しない非作動式入賞口で、遊技状態に拘わらず入賞条件は常に一定となっている。
【００１９】
また、下始動入賞口３１は、開閉手段３２により遊技球が入賞可能な開状態と入賞不可能な閉状態とに切り換え可能な作動式入賞口で、普通図柄表示手段２２の変動後の停止図柄が当たり態様となって普通利益状態が発生したときに、開閉手段３２が閉状態から開状態に変化して所定時間維持されるように構成されている。
【００２０】
特別図柄表示手段２３は、１個又は複数個、例えば１個の特別図柄を変動表示可能な７セグメント式等の表示手段により構成されており、特別図柄始動手段１６の上始動入賞口３０又は下始動入賞口３１に遊技球が入賞して、入賞検出スイッチ３０ａ又は入賞検出スイッチ３１ａが遊技球を検出することを条件に特別図柄を所定時間変動表示して、上始動入賞口３０又は下始動入賞口３１への入賞時に取得された大当たり判定乱数値が予め定められた大当たり判定値と一致する場合には所定の大当たり態様で、それ以外の場合には外れ態様で停止するようになっている。
【００２１】
特別図柄には、例えば１０種類の数字図柄「０」〜「９」と記号図柄「−」とが用いられており、「０」〜「９」が大当たり態様、「−」が外れ態様に設定されている。
【００２２】
また、特別図柄の変動表示中に上始動入賞口３０又は下始動入賞口３１に遊技球が入賞した場合には、その入賞時に取得された大当たり判定乱数値等が所定の上限保留個数、例えば４個を限度として記憶されると共に、例えば上限保留個数と同数の発光体よりなる特別保留個数表示手段２５がその発光個数により大当たり判定乱数値の記憶個数（以下、特別保留個数）を表示して、その時点での特別保留個数を遊技者に報知するようになっている。
【００２３】
特別遊技状態表示手段２６は、いわゆる確変、時短等の特別遊技状態の発生とその種類とを表示するためのもので、例えば「確変」「時短」の２種類の特別遊技状態に対応する２個の発光体により構成されており、特別図柄表示手段２３の変動後の特別図柄が大当たり態様となることに基づいて発生する特別利益状態（大当たり状態）の終了後に特別遊技状態が発生したときに、その特別遊技状態の種類に対応して何れかの発光体を発光させるようになっている。
【００２４】
演出特別図柄表示手段２１は、特別図柄表示手段２３による特別図柄の変動表示と時間的に同調して演出特別図柄を変動表示するもので、１個又は複数個、例えば左右方向に３個の演出特別図柄を例えば各種の演出画像と共に変動表示可能に構成されており、特別図柄始動手段１６の上始動入賞口３０又は下始動入賞口３１に遊技球が入賞することを条件に、特別図柄の変動開始と同時に所定の変動パターンに従って演出特別図柄の変動を開始すると共に、特別図柄の変動停止と同時に最終停止するように、演出特別図柄を左、右、中等の所定の順序で停止させるようになっている。
【００２５】
演出特別図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。
【００２６】
なお、演出特別図柄表示手段２１による演出特別図柄の変動後の停止図柄は、特別図柄表示手段２３による特別図柄が大当たり態様で停止する場合にはその特別図柄と同じ数字図柄よりなる大当たり態様となり、特別図柄が外れ態様で停止する場合には任意の外れ態様となる。例えば、特別図柄が「７」で停止する場合には演出特別図柄は「７・７・７」で停止し、特別図柄が「−」で停止する場合には演出特別図柄は「３・４・５」等の任意の外れ態様で停止するようになっている。
【００２７】
大入賞手段１７は、例えば左右方向に長い略矩形状の大入賞口３３と、この大入賞口３３を開閉する開閉手段３４と、大入賞口３３に入賞した遊技球を検出する入賞検出スイッチ３３ａとを備え、例えば特別図柄始動手段１６の下側に配置されている。
【００２８】
大入賞口３３は、開閉手段３４により遊技球が入賞可能な開状態と入賞不可能な閉状態とに切り換え可能な作動式入賞口で、特別図柄表示手段２３の変動後の特別図柄が大当たり態様となることに基づいて特別利益状態（大当たり状態）が発生したときに、開閉手段３４が前側に所定時間開放して、その上に落下した遊技球を大入賞口３３内へと入賞させるように構成されている。
【００２９】
なお、大入賞手段１７の開閉手段３４は、その開放から所定時間（例えば２８秒間）が経過するか、所定時間内に所定数（例えば１０個）の遊技球が大入賞口３３内に入賞すること等の所定条件の成立により大入賞口３３を閉じると共に、その開放動作を所定回数  （例えば１５回）繰り返すようになっている。
【００３０】
普通入賞手段１８は、例えば大入賞手段１７の左右両側に配置されており、複数、例えば計４個の普通入賞口３５〜３８と、それら普通入賞口３５〜３８に入賞した遊技球を検出する入賞検出スイッチ３５ａ〜３８ａとを備えている。普通入賞口３５〜３８は、開閉手段等を有しない非作動式入賞口で、遊技状態に拘わらず入賞条件は常に一定となっている。なお、本実施形態では、右側の普通入賞手段１８はセンターケース１４と一体に形成されている。
【００３１】
遊技盤１１の裏側には、図３に示すように、センターケース１４等の遊技部品を裏側から覆う裏カバー４１が装着されている。裏カバー４１の裏側には、演出制御基板４２が格納された演出基板ケース４３と、主制御基板４４が格納された主基板ケース４５とが着脱自在に装着されている。
【００３２】
前枠３の後側には、遊技盤１１を裏側から押圧して固定するための裏機構板４６が開閉自在に枢着されており、複数の締結具４７により閉状態で固定可能となっている。
【００３３】
裏機構板４６には、その中央部に裏カバー４１が嵌合する開口部４８が形成され、この開口部４８の上側には遊技球タンク４９とタンクレール５０が、左右一側には払い出し手段５１が、下側には通路ユニット５２の他、電源基板５３が格納された電源基板ケース５４、払い出し制御基板５５が格納された払い出し基板ケース５６等が夫々設けられており、遊技球が大入賞口３３等の入賞口に入賞したとき、或いは図外の自動球貸し機から球貸し指令があったときに、遊技球タンク４９内の遊技球をタンクレール５０を経て払い出し手段５１により払い出し、その遊技球を通路ユニット５２を経て上皿６に案内するようになっている。
【００３４】
続いて、本パチンコ機の制御系のうち、釘曲げゴト等による入賞異常を監視するための構成について説明する。
【００３５】
本実施形態の主制御基板４４には、図４に示すように、各入賞口への遊技球の入賞に関する処理を行う入賞処理手段６１、普通図柄、特別図柄等の図柄変動に関する処理を行う図柄処理手段６２、特別図柄始動手段１６、大入賞手段１７等の動作に関する処理を行う役物処理手段６３等の他、不正による入賞異常を監視する不正監視手段６４が設けられている。
【００３６】
不正監視手段６４は、非作動式入賞口への入賞異常を監視するもので、基準設定値記憶手段７１、基準設定値選択手段７２、基準入賞数計数手段７３、一般入賞数計数手段７４、異常判定手段７５、異常報知制御手段７６等を備えている。
【００３７】
本実施形態では、上始動入賞口３０、普通入賞口３５〜３８の５つの非作動式入賞口を備えており、それらのうち、上始動入賞口３０を「基準入賞口」、普通入賞口３５〜３８を「一般入賞口」とする。なお、「基準入賞口」には、非作動式入賞口の中で最も入賞率の高い入賞口を割り当てることが望ましい。
【００３８】
基準設定値記憶手段７１は、非作動式入賞口への入賞が異常であるか否かの判定に用いる基準設定値を例えば複数記憶するものである。本実施形態の基準設定値は、基準入賞口への入賞数（以下、基準入賞数という）に対する一般入賞口への入賞数（以下、一般入賞数という）の割合が所定の上限値（以下、入賞割合上限値という）となるように設定された基準入賞数（以下、基準判定数という）と一般入賞数（以下、一般判定数という）との組で構成されており、図９に示すように、異なる入賞割合上限値に対応する複数組、例えば３組の基準設定値Ａ１〜Ａ３が設定されている。
【００３９】
基準設定値Ａ１は、入賞割合上限値が２０％となるように、基準判定数として「１０」が、一般判定数として「２」が設定されている。
【００４０】
同様に、基準設定値Ａ２は、入賞割合上限値が５０％となるように、基準判定数として「１０」が、一般判定数として「５」が設定され、基準設定値Ａ３は、入賞割合上限値が８０％となるように、基準判定数として「１０」が、一般判定数として「８」が設定されている。
【００４１】
このように、本実施形態の基準設定値Ａ１〜Ａ３は、基準判定数を同一とし、一般判定数を異ならせることで、全て異なる入賞割合上限値に設定されている。
【００４２】
基準設定値選択手段７２は、基準設定値記憶手段７１に記憶された複数の基準設定値Ａ１〜Ａ３の何れかを選択するもので、例えば基準設定値選択操作手段７７による選択操作内容に基づいて、基準設定値記憶手段７１に記憶された複数の基準設定値Ａ１〜Ａ３のうちの１つを選択するように構成されている。
【００４３】
基準設定値選択操作手段７７は、外部操作可能な操作ボタン等により構成されており、前枠３の裏側等、一般遊技者が操作できない位置に設けられている。
【００４４】
基準設定値Ａ１〜Ａ３の選択は、遊技機毎の釘調整の具合等に応じて最適なものを選択すればよい。例えば、その遊技機における非作動式入賞口３０，３５〜３８への入賞率が、基準入賞口３０への１０個の入賞に対して一般入賞口３５〜３８への入賞個数１個以下であれば基準設定値Ａ１を、同じく一般入賞口３５〜３８への入賞個数２〜３個程度であれば基準設定値Ａ２を、同じく一般入賞口３５〜３８への入賞個数４〜６個程度であれば基準設定値Ａ３を、夫々選択すればよい。
【００４５】
基準入賞数計数手段７３は、基準入賞数を計数するもので、例えばタイマ割込時に実行される不正監視処理（図５）において、基準入賞口３０への入賞があることを条件に基準入賞数に１を加算する基準入賞数計数処理Ｓ１（図６）を実行するように構成されている。
【００４６】
一般入賞数計数手段７４は、一般入賞数を計数するもので、例えばタイマ割込時に実行される不正監視処理（図５）において、一般入賞口３５〜３８への入賞があることを条件に一般入賞数に１を加算する一般入賞数計数処理Ｓ２（図７）を実行するように構成されている。
【００４７】
異常判定手段７５は、所定期間内における基準入賞数及び一般入賞数と基準設定値とに基づいて異常判定を行うもので、例えばタイマ割込時に実行される不正監視処理（図５）において異常判定処理Ｓ３を実行するように構成されている。
【００４８】
異常判定手段７５による異常判定処理Ｓ３では、図８に示すように、まず基準入賞数計数手段７３で計数されている基準入賞数と、基準設定値選択手段７２により選択された基準設定値Ａ１〜Ａ３に設定されている基準判定数とが比較され（Ｓ１１）、基準入賞数が基準判定数以上であれば（Ｓ１１：Ｙｅｓ）、基準入賞数計数手段７３における基準入賞数と、一般入賞数計数手段７４における一般入賞数とが０クリアされる（Ｓ１２）。
【００４９】
一方、Ｓ１１において基準入賞数が基準判定数未満であれば（Ｓ１１：Ｎｏ）、一般入賞数計数手段７４で計数されている一般入賞数と、基準設定値選択手段７２により選択された基準設定値Ａ１〜Ａ３に設定されている一般判定数とが比較され（Ｓ２１）、一般入賞数が一般判定数以上であれば（Ｓ２１：Ｙｅｓ）、異常報知制御手段７６の制御により異常報知手段による異常報知処理が行われる（Ｓ２２）。
【００５０】
例えば、基準設定値Ａ１（図９）が選択されている場合には、基準入賞数計数手段７３で計数されている基準入賞数が基準判定数である１０に達するまでに、一般入賞数計数手段７４で計数されている一般入賞数が一般判定数である２に達した場合、即ち所定期間内における基準入賞数に対する一般入賞数の割合が２０％よりも大となった場合に異常と判定される。
【００５１】
このように、異常判定手段７５は、基準入賞数が基準判定数に到達する前に一般入賞数が一般判定数に達した場合、即ち所定期間内における基準入賞数に対する一般入賞数の割合が基準設定値に設定されている入賞割合上限値よりも大になったときに、入賞異常と判定するように構成されている。なお、この場合の所定期間は、基準入賞数が０から基準判定数に達するまでの期間である。
【００５２】
これにより、例えば釘曲げゴトにより一般入賞口３５〜３８の何れかに入賞し易いように細工された場合には、短期間で確実に異常と判定することができ、不正行為を早期に発見して被害の発生を防止できる。
【００５３】
また、異常判定を行う毎に基準入賞数に対する一般入賞数の割合を演算する必要がなく、基準入賞数と基準判定数、一般入賞数と一般判定数を夫々比較するだけでよいため、処理を簡素化できる利点がある。
【００５４】
異常報知制御手段７６は、所定の異常報知手段により異常を報知するためのもので、異常判定手段７５により異常と判定されることを条件に作動するように構成されている。
【００５５】
異常報知手段としては、ランプ７８、音声出力手段７９等の他、外部出力端子８０を介して接続されるホールコンピュータ等、どのようなものでもよい。
【００５６】
以上説明したように、本実施形態のパチンコ機は、複数の非作動式入賞口３０，３５〜３８が基準入賞口３０とそれ以外の一般入賞口３５〜３８とで構成され、基準入賞口３０への入賞数としての基準入賞数を計数する基準入賞数計数手段７３と、一般入賞口３５〜３８への入賞数としての一般入賞数を計数する一般入賞数計数手段７４と、所定期間内における基準入賞数と一般入賞数と所定の基準設定値とに基づいて異常判定を行う異常判定手段７５とを備えているため、いわゆる釘曲げゴト等による異常を迅速且つ確実に認識でき、不正行為を早期に発見して被害の発生を防止できる。
【００５７】
基準設定値には、基準入賞数についての基準判定数と一般入賞数についての一般判定数とが所定の入賞割合上限値となるように設定されており、異常判定手段７５は、基準入賞数が基準判定数に達するまでに一般入賞数が一般判定数に達した場合に異常と判定するように構成されているため、異常判定を行う毎に基準入賞数に対する一般入賞数の割合を演算する必要がなく、処理を簡素化できる利点がある。
【００５８】
また、基準設定値が予め複数種類設定され、外部操作により選択可能に構成されているため、遊技機毎の釘調整の具合等に応じて最適なものを選択することが可能である。
【００５９】
以上、本発明の実施形態について詳述したが、本発明はこれらの実施形態に限定されるものではなく、本発明の趣旨を逸脱しない範囲で種々の変更が可能である。例えば、予め設定される複数の基準判定値は、図１０に示すように、一般判定数を同一にして基準判定数を異ならせてもよいし、図１１に示すように、一般判定数と基準判定数との両方を異ならせてもよい。また、図１１に示すように、同じ入賞割合上限値であって一般判定数と基準判定数の値が異なる複数の基準判定値を設けてもよい。
【００６０】
また、基準判定値は１種類のみでもよいし、２種類又は４種類以上設けてもよい。
【００６１】
基準判定値は、自動的に最適な値を設定するように構成してもよい。例えば、電源投入後の所定期間、非作動式入賞口３０，３５〜３８の入賞個数を計数し、その計数値に基づいて基準判定値を自動的に設定するようにしてもよい。
【００６２】
複数の非作動式入賞口を基準入賞口とし、それらの入賞個数の合計を基準入賞数としてもよい。
【００６３】
実施形態で示したような不正監視処理を、基準入賞口を異ならせて複数並行して行うようにすれば、基準入賞口に対して釘曲げが行われた場合でも異常を発見できる。
【００６４】
全ての非作動式入賞口を用いて異常判定を行う必要はなく、一部の非作動式入賞口のみを用いてもよい。例えば、上始動入賞口３０を基準入賞口とし、４つの普通入賞口３５〜３８のうちの普通入賞口３５，３６のみを一般入賞口として上記不正監視処理を行うようにしてもよい。
【００６５】
実施形態では、基準設定値に所定の入賞割合上限値となるように基準判定数と一般判定数とを設定した例を示したが、基準設定値に入賞割合上限値を設定し、異常判定手段７５が、所定期間内の基準入賞数に対する一般入賞数の割合を演算し、その値が入賞割合上限値よりも大である場合に異常であると判定するように構成してもよい。
【００６６】
異常判定手段７５により異常と判定された場合には、発射を停止させるようにしてもよい。
【００６７】
一般入賞口に、通過ゲート、ワープ用入球口等を含めてもよい。
【００６８】
また本発明は、パチンコ機に限らず、アレンジボール機、雀球遊技機等の各種の弾球遊技機においても同様に実施することが可能である。
【図面の簡単な説明】
【００６９】
【図１】本発明の一実施形態を示すパチンコ機の正面図である。
【図２】本発明の一実施形態を示すパチンコ機の遊技盤の正面図である。
【図３】本発明の一実施形態を示すパチンコ機の背面図である。
【図４】本発明の一実施形態を示す主制御基板の概略構成を示すブロック図である。
【図５】本発明の一実施形態を示す不正監視処理のフローチャートである。
【図６】本発明の一実施形態を示す基準入賞数計数処理のフローチャートである。
【図７】本発明の一実施形態を示す一般入賞数計数処理のフローチャートである。
【図８】本発明の一実施形態を示す異常判定処理のフローチャートである。
【図９】本発明の一実施形態を示す基準設定値の一例である。
【図１０】その他の基準設定値の一例である。
【図１１】その他の基準設定値の一例である。
【符号の説明】
【００７０】
３０  上始動入賞口（始動入賞口，基準入賞口）
３１  下始動入賞口（入賞口）
３３  大入賞口（入賞口）
３５  普通入賞口（一般入賞口）
３６  普通入賞口（一般入賞口）
３７  普通入賞口（一般入賞口）
３８  普通入賞口（一般入賞口）
７３  基準入賞数計数手段
７４  一般入賞数計数手段
７５  異常判定手段
【図１】
2008109987.tif 000003
【図２】
2008109987.tif 000004
【図３】
2008109987.tif 000005
【図４】
2008109987.tif 000006
【図５】
2008109987.tif 000007
【図６】
2008109987.tif 000008
【図７】
2008109987.tif 000009
【図８】
2008109987.tif 000010
【図９】
2008109987.tif 000011
【図１０】
2008109987.tif 000012
【図１１】
2008109987.tif 000013